(57)【要約】【課題】背の丸みによりできてしまう後身頃のつりあがりをなくし、運動の不自由さを軽減し、裾がせり上がらず見た目のバランスを良好にすること。【解決手段】後身頃（１）の袖付け（８）より下方にタック（５，６，７，２０）を入れることにより立体的な形状を実現することができる。タックは袖付け位置（８）を基点として約３ｃｍ（背中の丸みにより個人差あり）下げたところに約２．５センチの幅（背中の丸みにより個人差あり）で第一のタック（５）第一のタック（５）より約２ｃｍ下げたところに約２．５ｃｍの幅で第二のタック（６）を設け、（６）より約２ｃｍ下げたところに約２．５ｃｍの巾で第三のタックを設ける。第四のタックは個人差により設けることがある。また、両肩にも４ｃｍのタック（１７）を設ける。【選択図】  図１
2006233399.tif 000002
【特許請求の範囲】
【請求項１】
少なくとも前身頃（２）及び後身頃（１）が縫製されている上衣において、後身頃の脇にアームホール下方に形成された第一のタック（１１）と、第一のタックより下方に形成された第二のタック（１２）さらに第二のタックの下方に形成された第三のタック（１３）さらに、必要な場合は、第三タックの下方に第四のタックを備え、そして、必要な場合は、さらに後身頃の両肩部にタック（１７）をいれることを特徴とする上衣。
【発明の詳細な説明】
【技術分野】
【０００１】本発明は背の丸い人（特に高齢者）の腕の上げ下げなどの運動を円滑にして、背面の裾ラインがせり上がることをを防止する衣服に関するものである。
【背景技術】
【０００２】従来背の丸い人の衣服はオーダーメイド以外では特に存在しておらず、背の丸い人のための衣服は健常者（背の丸くない人）と同型の製図を用いた衣服を着用する。そのために問題が生じていた。（図２）【０００３】問題点の１つは背面の窮屈さによる着心地の悪さであり、背中のカーブに脇のラインや袖付け位置が合致していないため腕の上げ下げ等の運動に負担がかかるという欠点があった。【０００４】問題点の２つは背中にカーブがある分、前身頃と後身頃の丈に差が生じ背面の裾はせり上がり背中で弓なりのカーブを描くような形状になるため、衣服の裾が水平にならず見た目のバランスが損なわれるという欠点があった。（図２）【０００５】背の丸い人の多くが解決策として選択している衣服には非特許文献１のＰ８９〜９１に記されているように、背中の上部にヨークを施したデザインがあるが、運動量はあるが背の丸さをたっぷりのギャザーでより強調させてしまうことになり、またゆとりを必要以上につけたことで重みがかかり後ろに引っ張られる感じを作っていた。【０００６】非特許文献の２のＰ５９，６０に記されているように受注生産商品に、ニット素材で立体縫製の技術により編み目の加工を変え背の丸い人の体型に合う形状をした衣服があるが、加齢による体系の変化や通常背の丸い人でも、背中を起す動作をしたときに、背中のカーブの動きに流動的に対応できず、また受注生産であるため供給量やコスト面において容易に普及することが困難であった。
【非特許文献１】森  南海子著「体の不自由な人のおしゃれ」昭和５２年  １１月８日初版  朱鷺書房
【非特許文献２】ユニバーサルファッション協会著「ユニバーサルファッション宣言」２００２年１１月２５日初版  中央公論
【発明が解決しようとする課題】
【０００７】解決しようとしている問題点は、背の丸い人（特に高齢者）が健常者（背の丸くない人）と同じ衣服を着用時に生じる運動の不自由な点と、裾のせり上がりによる見た目のバランスの悪い点である。
【課題を解決するための手段】
【０００８】本発明は後身頃（図１の１）につけた３本のタック（図１の１１，１２，１３）又は、４本のタック（図１の１１，１２，１３，１９）により立体的な背の丸みに対応させることを最も主要な特徴とする。
【発明の効果】
【０００９】背中の丸い人の立体的な背面に流動的に対応し窮屈感を無くし腕の上げ下げなどの運動を円滑にするとともに、せり上がりを気にする煩わしさをなくし、裾が水平になることで、見た目のバランスをそこなうこともない。
【発明を実施するための最良の形態】
【００１０】  本実施の形態の背の丸い人の上衣は少なくとも前身頃及び後身頃が縫製されている上衣において、後身頃の脇にアームホール（３）に近傍に形成された第一のタック（５）と、第一のタックより下方に、背中の曲がり方に合わせて形成された第二のタック（６）さらに、第三のタック（７）背の曲がりに対応して、場合により、さらに、第四のタック（２０）とを備えてなるものである。
第一のタック（５）の位置はアームホール（３）の近傍で脇のなるべく高い位置であるのが良く、アームホール（３）の下側より約２ｃｍ（Ｌ１）位の位置が最も好ましい。なお体型により、若干の長短がある。タックの幅は２．５ｃｍから３ｃｍ（Ｔ１，Ｔ２，Ｔ３，Ｔ４）であるのが好ましい。第二のタック（６）の位置は第一のタックより３ｃｍ〜５ｃｍの距離（Ｌ２）をとる。
なお、タックの数は３本としているが、背中の曲がり具合に応じて、腰の曲がった体型の場合、（Ｔ３）の下に（Ｔ４）をさらに形成して４本とすることもできる。
前身頃の形状は通常の原型に対してバストポイントを下げることで高齢者の体型に対応することができる。
次に上衣の作成方法を説明する。
（イ）後身頃（図１の１）長さ（Ｌ４）を出来上がり丈（Ｌ）よりも７．５〜１０ｃｍ（Ｔ１＋Ｔ２）多く取る。
（ロ）タック（５，６）の位置は袖付け位置の３ｃｍ程度（Ｌ１）下がった所に第一のタック（５）を取る。
（ハ）第一のタックより２ｃｍ〜５ｃｍ程度（Ｌ２）下がった所に第二のタック（６）を取る。
（ニ）タックの幅（Ｔ１，Ｔ２，Ｔ３）は背中の曲がり具合にあわせて２．５ｃｍから３ｃｍ程度の範囲で取る。
（ホ）商品化に当たりやわらかい素材で製作することでタックが目立たなくなる。
（ヘ）タックの大きさやタックの幅は個人の背の曲がり具合に合わせて調節することで一層の着心地を追求することが可能であるが、前述のイ〜ニに示した範囲での調節が見た目のバランスを損なうことの無い程度の数値である。
（ト）本発明の後身頃丈の長さ（Ｌ４：補正した背丈）は従来の製法による背丈（Ｌ）に第一タック（Ｔ１の幅）、第二タック（Ｔ２）、第三タックの幅、場合により第四タックの幅を加えたものとする。（Ｌ４＝Ｌ＋Ｔ１＋Ｔ２＋Ｔ３（＋Ｔ４））
【産業上の利用可能性】
【００１１】タック（５，６，７）は凝り固まった形状を持たないので個人により異なる背中の曲がり具合や背中の丸い人が背中を起すことや、加齢に伴い背中の曲がり具合が変化したとしても流動的に対応が可能である。【００１２】本発明の製図原型をもとにブラウス（図３）だけでなく肌着、ジャケット等を生産することも可能であり、特に肌着は高齢者の腰の冷えを防止する効果が期待できる。
【図面の簡単な説明】
【００１３】
【図１】後身頃原型  点線ライン  従来の婦人用製図原型（９号規格）  実線ライン  本発明の背の丸い人用の製図原型
【図２】前身頃原型  点線ライン  従来の婦人用製図原型（９号規格）  実線ライン  本発明の背の丸い人用の製図原型
【図３】従来の女性用ブラウスとそれを着用した背の丸い人
【図４】本発明のブラウスとそれを着用した背の丸い人
【符号の説明】
【００１４】１後身頃
２前身頃
３アームホール
４本発明の丈の長さ（補正した背丈：Ｌ４＝Ｌ＋Ｔ１＋Ｔ２＋Ｔ３）
５第一のタック
６第二のタック
７第三のタック
８袖付け位置
９Ｌ背丈
１０Ｌ４補正した背丈
１１Ｔ１第一タックの長さ
１２Ｔ２第二タックの長さ
１３Ｔ３第三タックの長さ
１４Ｌ１袖付け位置から第一タックまでの長さ
１５Ｌ２第一タックから第二タックまでの長さ
１６Ｌ３第二タックから第三タックまでの長さ
１７ＬＴ肩タック
１８Ｌ４第三タックから第四タックまでの長さ
１９Ｔ４第四タックの長さ
２０第四のタック
【図１】
2006233399.tif 000003
【図２】
2006233399.tif 000004
【図３】
2006233399.tif 000005
【図４】
2006233399.tif 000006